(57)【要約】【課題】  作業者が所要の作業位置に容易に手が差し込めるようにして、作業の自由度を高める。【解決手段】  内部に作業空間５が形成されるボックス１を備え、上記作業空間５は密閉されるとともに前方側から透視可能とされ、上記ボックス１の前面に設けられる前面パネル３には作業用のグローブ４が取り付けられており、上記前面パネル３が上記ボックス１の前面に沿って上下もしくは左右に変位可能である。【選択図】図１
2010131713.tif 000002
【特許請求の範囲】
【請求項１】
ボックス前面のパネルに作業用のグローブを装着したグローブボックスにおいて、上記ボックス前面開口をシートで密封すると共に、該シートを上記密封を維持した状態で該ボックス前面に沿い所定方向に移動可能となし、かつ、該シートに上記パネルを固定してなり、シートが移動可能であることでパネルに装着した上記グローブの上記作業空間内の移動を可能とした、ことを特徴とするグローブボックス。
【請求項２】
上記シートの移動方向が上下または左右の方向である、ことを特徴とする請求項１に記載のグローブボックス。
【請求項３】
上記シートをその移動に伴い巻き取り、巻き戻す機構を設けた、ことを特徴とする請求項１または２に記載のグローブボックス。
【発明の詳細な説明】
【技術分野】
【０００１】
本発明は、危険性を有する微生物や病原体、微小・微量の物質、大気中では不安定な物質、毒性の強い物質等の取り扱いに使用するグローブボックスに関するものである。
【背景技術】
【０００２】
グローブボックスは、内部に作業空間が形成されるボックスを備えており、このボックスの作業空間は密閉されるとともに前方側から透視可能となっている。ボックスの前面パネルには、作業用グローブが取り付けられており、作業者は、ボックス内の作業空間を観察しながら、作業用グローブを介して安全に、作業空間内に配置されている各種物質等を取り扱いできるようになっている（例えば、特許文献１参照）。
【特許文献１】特開平７−２３７１７５号公報
【発明の開示】
【発明が解決しようとする課題】
【０００３】
従来のグローブボックスでは、ボックスの前面壁に開口や筒状の取り付け座を設けて、これにグローブを取り付けており、グローブの取り付け位置はボックスに対して固定されていた。
【０００４】
そのため、作業者の体格や、ボックス内部での作業の種類、作業位置によっては、作業者に無理な姿勢を強いることになって作業が行いにくくなったり、作業位置に手が届かなくなったりする場合があり、作業の自由度が低いという問題があった。
【０００５】
本発明は、上記従来の問題に対処したもので、作業者が無理な姿勢をとらずに、ボックス内の所要の作業位置に手が差し込めるようにして作業を容易にし、作業の自由度を高めることを課題とする。
【課題を解決するための手段】
【０００６】
本発明は、上記課題を達成するために、ボックス前面のパネルに作業用のグローブを装着したグローブボックスにおいて、上記ボックス前面開口をシートで密封すると共に、該シートを上記密封を維持した状態で該ボックス前面に沿い所定方向に移動可能となし、かつ、該シートに上記パネルを固定してなり、シートが移動可能であることでパネルに装着した上記グローブの上記作業空間内の移動を可能としたことを特徴とするものである。
【０００７】
本発明において、好ましい態様は、上記シートの移動方向が上下または左右の方向である。
【０００８】
本発明において、好ましい態様は、上記シートをその移動に伴い巻き取り、巻き戻す機構を設けることである。
【０００９】
上記構成のグローブボックスでは、作業者の体格に合わせて、前面パネルの位置を移動させることで、グローブ位置を作業者の体格に合った高さに合わせることができ、無理な姿勢をとらずに作業をすることが可能になる。
【００１０】
また、作業の種類によってはボックス内での作業位置が変わるが、その場合は、前面パネルの位置を例えば上下もしくは左右に変更して、グローブの位置をボックス内の作業位置に合わせることができ、これにより作業の種類の変更に対処しうる。
【００１１】
しかも、本発明では、前面パネルをボックス前面に沿い移動させることができるから、ボックス内作業空間を密閉状態に保つことができることになり、グローブ位置の変更のために、ボックスを開放する必要なく、ボックス内作業環境を変えずに、迅速容易にグローブ位置の調節ができる。
【発明の効果】
【００１２】
本発明によれば、前面パネルを移動させることで、グローブ位置を作業者の体格やボックス内作業位置に合わせることができ、作業者や作業の種類が変わっても、支障なく作業を進められる。
【発明を実施するための最良の形態】
【００１３】
以下、本発明の最良の実施の形態を、図を参照して説明する。図１ないし図３は、本発明の最良の実施の形態である第１の実施の形態を示し、図１は、本発明の第１の実施の形態に係るグローブボックスの正面図で、一部破断して内部を示している。図２は、図１のイ−イ線における縦断側面図であり、図３は、図１のロ−ロ線に沿って断面した部分の拡大断面図である。
【００１４】
第１の実施の形態に係るグローブボックスは、図１および図２に示すように、ボックス１と、シート２と、前面パネル３と、作業用のグローブ４とを備える。
【００１５】
ボックス１は、内部に作業空間５を形成するもので、前面が開放された箱体となっている。ボックス１は、例えばステンレス鋼板で形成されるが、一部または全部を透明な樹脂板であるアクリル樹脂板で形成することもできる。ボックス１の内底部には、パンチングメタルからなる底板６が設置されている。
【００１６】
ボックス１の前面開口の周縁部のうち、左右両側の周縁部１ａには、シート２を案内するためのレール７が上下方向に取り付けられ、そのレール７の前面には、該レール７の長さ方向に沿ってシール用のパッキン８が付設されている。また、前面開口の上下の周縁部１ｂ，１ｂには、それぞれ左右方向に伸びるガイド９，９が取り付けられ、これら上下のガイド９，９の前面に、各ガイド９の長さ方向に沿ってシール用のパッキン１０，１０が付設されている。
【００１７】
シート２は、ボックス１の前面開口を覆うもので、透明素材からなり、ボックス１の前面と同程度の横幅を有し、上下方向に長尺である。シート２の上下部は、図２に示すように、巻き軸１１，１２に巻き取られてそれぞれロール部２ａ，２ｂを形成している。上下の各ロール部２ａ，２ｂは、ブラケット１３，…によりボックス１の前面側の上面部および下面部に、シート２が上下方向（矢印αの方向）に引き出し巻き取りできる状態で支持されている。
【００１８】
上下のロール部２ａ，２ｂの間で、シート２はボックス１の前面開口を覆っており、シート２の各部分のうち、ボックス１の前面開口の周縁部１ａ，１ｂに対応する部分が、左右のレール７のパッキン８と、上下のガイド９のパッキン１０に圧接することにより、ボックス１の前面開口が密封されるようになっている。
【００１９】
シート２の左右両側部より前面側には、シート押え１４がボックス１の左右外面部に固定された状態で設けられており、このシート押え１４により、図３に示すように、シート２の左右両側部が、レール７のパッキン８に圧接されている。
【００２０】
前面パネル３は、ボックス１の前面側にあってグローブ４を取り付け支持する部材で、この実施の形態では、透明板からなる。この前面パネル３は、その上下幅がボックス１の前面開口の上下開口幅より狭く、かつ、横幅がシート２の横幅より狭く、シート２の前面で、シート２の左右ほぼ中間位置に、シート２の左右両側部が前面パネル３より左右外側に張り出すように張り合わされて、シート２に保持されている。
【００２１】
グローブ４は、柔軟性を有する材料、例えばネオプレンゴムから形成されている。このグローブ４の取り付けのためには、前面パネル３およびシート２に開口１５が形成され、前面パネル３の前面側には筒状の取り付け座１６が設けられている。グローブ４は、その基部を外周側に折り返してその折り返し部分を上記取り付け座１６の外周面に嵌着することで、前面パネル３に取り付けられる。
【００２２】
また、図２に示すように、ボックス１の背面側には、ＨＥＰＡフィルタ１７とファン１８とを内蔵したダクト１９が設けられている。図示のダクト１９は排気用で、ボックス１の上部から吸気して、下部の排気管２０から排気するようになっている。排気管２０にも、フィルタ２１とファン２２とが設けられている。
【００２３】
なお、特に図示はしないが、ボックス１の背面側には他に送気ダクトもしくは送気管が連通接続され、この送気ダクトもしくは送気管を通じて、ボックス１内の作業空間に清浄なエア等、所要の雰囲気ガスが供給されるようになっている。
【００２４】
上記構成において、ボックス１内の作業空間５には所要の機器、器具および物質等が用意されている状態で、作業者は、前面パネル３の開口１５からグローブ４に手を差し入れ、シート２および前面パネル３を通してボックス１内部を観察しながら、グローブ４に差し入れた手により所要の作業を行う。
【００２５】
この場合、ボックス１の前面を覆うシート２は、レール７や上下のガイド９のパッキン８，１０に圧接しているから、作業空間５の気密状態が維持され、従来のグローブボックスにおけるのと同様に、安全に作業を行える。
【００２６】
次に、作業者や作業の種類が変わり、作業者の姿勢に無理が生じたり、ボックス１内の作業位置に手が届かなくなったような場合は、シート２を上下に巻き戻し巻き取って前面パネル３を適度に上下に移動変位させればよい。これにより、グローブ４の位置、すなわち、作業者が手を差し入れる位置が変わり、無理な姿勢をとらずに、作業位置に手が届くようになり、円滑に作業が進められる。
【００２７】
この場合、シート２は、常時、レール７や上下のガイド９のパッキン８，１０に圧接していて、これにより、作業空間５の気密状態が維持される。グローブ４の上下位置の変更のためにボックス１を開放する必要がない。
【００２８】
なお、第１の実施の形態では、シート２を上下に巻き取り巻き戻し可能に設け、このシート２に前面パネル３を保持させることで、前面パネル３を上下方向に変位可能としたが、シートを左右横方向に巻き取り巻き戻し可能に設け、このシートに前面パネル３を保持させることで、前面パネル３を左右に変位可能とすることもできる。
【００２９】
上記の場合、前面パネルは、図４の第２の実施の形態に示すような構成により、上下に変位可能にしてもよい。図４は、本発明の第２の実施の形態に係るグローブボックスの側面図で、一部破断して内部を示している。
【００３０】
第２の実施の形態では、前面パネル３１がボックス１の前面部よりも上下に広幅となっている。また、この第２の実施の形態では、ボックス１の前面開口の周縁部のうち、左右両側の周縁部１ａは、シートを案内するためのレールとして利用され、その前面には、上下方向に沿ってシール用のパッキン８１が付設されている。さらに、ボックス１の前面開口の上下の周縁部１ｂは、それぞれ上下のガイドとして利用され、その前面には、左右方向に沿ってシール用のパッキン１０１が付設されている。
【００３１】
前面パネル３１は、その前面側に設けたローラ２３により、上下に変位しうる状態で、上下方向のパッキン８１および左右方向のパッキン１０１に圧接している。なお、上記ローラ２３は、ブラケット２４によりボックス１の側面部に支持されている。符号２５は、前面パネル３１の上下の変位距離を規制するストッパーである。その他の部分は、第１の実施の形態と変わりがなく、共通する部分は、第１の実施の形態と同一の番号で示している。
【００３２】
上記構成によれば、前面パネル３１の上下位置を変更することで、作業者や作業の種類に応じて、グローブ４の位置、すなわち、作業者が手を差し入れる位置を調整することができる。
【００３３】
以上説明したように本実施の形態では、ボックスの前面開口をシートで密封すると共に、このシートを、上記密封を維持した状態でボックス前面に沿い上下等の所定方向に移動可能としたうえで、シートに前面パネルを固定したので、シートを移動させることでパネルと共に作業用のグローブを上記作業空間内を移動させることが可能となり、結果、作業者の体格に合わせて、前面パネルの位置を移動させることで、グローブ位置を作業者の体格に合った高さに合わせることができ、無理な姿勢をとらずに作業をすることが可能になる。
【図面の簡単な説明】
【００３４】
【図１】図１は本発明の最良の形態である第１の実施の形態に係るグローブボックスの一部破断正面図である。
【図２】図２は図１のイ−イ線における縦断側面図である。
【図３】図３は図１のロ−ロ線に沿って断面した部分の拡大断面図である。
【図４】図４は本発明の第２の実施の形態に係るグローブボックスの一部破断側面図である。
【符号の説明】
【００３５】
１    ボックス
１ａ  左右の周縁部
１ｂ  上下の周縁部
２    シート
２ａ  上部のロール部
２ｂ  下部のロール部
３    前面パネル
４    グローブ
５    作業空間
７    レール
８    パッキン
９    ガイド
１０  パッキン
【図１】
2010131713.tif 000003
【図２】
2010131713.tif 000004
【図３】
2010131713.tif 000005
【図４】
2010131713.tif 000006